(57)【要約】      （修正有）【課題】共有する複数の画像のうち、どの画像が視聴されたか。また視聴された１つの画像の、どの部分に注目が集まったか。視聴履歴が直感的に一目でわかるような画像表示方法を提供する。【解決手段】画像の部分拡大操作に基づく視聴履歴データによって、画像の所定の領域が、該所定の領域よりも拡大された回数が多い他の所定の領域よりも劣化して見えるように画像の表示を行なう。【選択図】図６
2005202173.tif 000002
【特許請求の範囲】
【請求項１】
画像表示方法であって、
画像の部分拡大操作において拡大された部分を特定できる情報を記録できるステップと、記録された前記情報に応じて、前記画像の所定の領域が、該所定の領域よりも拡大された、
回数が多い他の所定の領域よりも劣化して見えるように画像の表示を行なうステップと、
を有することを特徴とする画像表示方法。
【請求項２】
画像表示方法であって、
画像の部分拡大操作において拡大された部分を特定できる情報を記録できるステップと、記録された前記情報に応じて、部分拡大操作が行なわれなかった部分を、
変形して見えるように画像の表示を行なうステップと、
を有することを特徴とする画像表示方法。
【発明の詳細な説明】
【技術分野】
【０００１】
本発明は、デジタルカメラ等で撮影、又はスキャナ等で読み込まれた画像情報を表示する情報表示装置の画像表示方法に関する。
【背景技術】
【０００２】
デジタルカメラの爆発的な普及を背景に、誰でも簡単にオリジナルの画像情報を作成する事が可能な状況になっている。またＡＤＳＬや光ファイバーによるインターネット接続環境の整備を背景に、離れた場所に住んでいる情報表示装置ユーザー間で、画像情報を共有し、視聴するコミュニケーション形態が普及し始めている。ユーザーはそれら画像情報をインターネット上のサーバーに存在する自分のホームページやＣＧＩ（Ｃｏｍｍｏｎ  Ｇａｔｅｗａｙ  Ｉｎｔｅｒｆａｃｅ）を利用した電子掲示板等に複数の画像情報を公開して、離れた場所に住んでいる友人や家族等と共有する事が可能である。ホームページや電子掲示板を利用し共有している画像情報を視聴した友人や家族は、電子メールを利用したり、掲示板上に設けられた専用領域に文字データを入力する事により、その画像を視聴したという視聴履歴情報を残す事も可能である。
【０００３】
また、画像処理装置での画像再生回数に応じた頻度で、元の画像の周辺部に対する破損劣化を表現するような手段は、特許文献１において開示されている。
【特許文献１】特開２００３−１６９２２５号公報
【発明の開示】
【発明が解決しようとする課題】
【０００４】
背景技術で述べた画像情報の共有や視聴において、文字データによって視聴履歴情報を残した場合には、その文字データを見たユーザーは、その文字を判読し、複数画像のうち、どの画像が視聴されたのかを探す事になり煩わしい。また、実際の画像視聴において、ユーザーが１つの画像のどの部分に注目したのかも分かりにくい。
【０００５】
よって本発明の目的は、上記課題を解決し、
・共有する複数の画像のうち、どの画像が視聴されたか、
・視聴された１つの画像の、どの部分に注目が集まったか、
の視聴履歴が直感的に一目で分かるようにする画像表示方法を提供する事である。
【課題を解決するための手段】
【０００６】
本発明による画像表示方法は、
画像の部分拡大操作において拡大された部分を特定できる情報を記録するステップと、記録された前記情報に応じて、前記画像の所定の領域が、該所定の領域よりも拡大された、
回数が多い他の所定の領域よりも劣化して見えるように画像の表示を行なうステップと、を有することを特徴とする。
【０００７】
また、
画像の部分拡大操作において拡大された部分を特定できる情報を記録するステップと、記録された前記情報に応じて、部分拡大操作が行なわれなかった部分を変形して見えるように画像の表示を行なうステップと、
を有することを特徴とする。
【発明の効果】
【０００８】
本発明によれば、
・共有する複数の画像のうち、どの画像が視聴されたか、
・視聴された１つの画像情報の、どの部分に注目が集まったか、
の視聴履歴が直感的に一目で分かるようになる。これにより、注目度の高い画像を容易に判別する事ができる為、複数の情報表示ユーザーによる円滑なコミュニケーションを実現する事が可能となる。
【発明を実施するための最良の形態】
【０００９】
（実施例１）
以下、図面を用いて本発明を実施する為の第１形態について、説明を行なう。
【００１０】
図１は、本発明の実施例１による画像表示方法を有する情報表示装置の接続形態を表わす概念図である。同図中、１０１は情報表示装置（１）、１０２は情報表示装置（２）、１０３はコンテンツサーバー、１０４はインターネットを示し、情報表示装置（１）１０１、情報表示装置（２）１０２を利用するユーザー間でコンテンツサーバー１０３に存在するデジタルカメラ等で撮影された複数の画像を視聴するシステムの接続形態を示している。
【００１１】
以下、情報表示装置（１）１０１による画像視聴、特には画像の拡大視聴に関する動作を説明する。
【００１２】
図２は、本発明の実施例１による情報表示装置の構成を表わすブロック図である。同図中、２０１は操作部、２０２はネットワーク制御部、２０３はＣＰＵ、２０４は画像情報デコード部、２０５はメモリ、２０６は表示制御部、２０７は画像表示部、２０８はシステムバスを示す。
【００１３】
図３は、図１における操作部２０１に配置される操作ボタン群である。同図中、３０１は移動ボタン、３０２は決定ボタン、３０３は一覧表示ボタン、３０４は戻るボタン、３０５は枠表示ボタン、３０６は情報表示ボタンを示す。
【００１４】
図４は、図３に示した操作部２０１に備わるボタンを用いて、コンテンツサーバー１０３に存在する画像を視聴する場合の操作と画面表示状態遷移の関係を示す図である。
【００１５】
（４−１）ユーザーの一覧表示ボタン３０３押下により、画像表示部２０７には、図４の４０１で示す画像掲示板一覧表示が表示される掲示板選択表示状態に遷移する。
【００１６】
（４−２）ユーザーの一覧表示ボタン３０３、又は戻るボタン３０４押下により、画像掲示板一覧表示画面は消え、表示オフ状態４００に戻る。
【００１７】
（４−３）ユーザーの移動ボタン３０１押下により、４０６で示すカーソル表示が移動し、視聴する画像掲示板が選択される。
【００１８】
（４−４）ユーザーの決定ボタン３０２押下により、カーソル表示４０６のある画像掲示板が選択決定され、図２のＣＰＵ２０３は、ネットワーク制御部２０２を介して、図１のコンテンツサーバー１０３から複数の画像データを取得する。ここで取得したデータは一時的にメモリ２０５に格納され、画像情報デコード部２０４によって復号後、表示制御部２０６に送り、画像表示部２０７において、図４の４０２で示したサムネイル表示状態に遷移する。
【００１９】
（４−５）ユーザーの戻るボタン３０４押下により、掲示板選択表示状態４０１に遷移する。
【００２０】
（４−６）ユーザーの移動ボタン３０１押下により、４０７で示すカーソル表示が移動し、視聴する画像が選択される。
【００２１】
（４−７）ユーザーの決定ボタン３０２押下により、カーソル表示４０７のある画像が選択され、図２のＣＰＵ２０３は、表示制御部２０６を介して、画像表示部２０７に選択された画像を画面に一枚表示し、図４の４０３で示したシングル表示状態に遷移する。
【００２２】
（４−８）ユーザーの戻るボタン３０４押下により、サムネイル表示状態４０２に遷移する。
【００２３】
（４−９）ユーザーの枠表示ボタン３０５押下により、図４の４０４で示すズーム領域選択状態に遷移し、ユーザーが画像を拡大して表示可能な領域を示す拡大領域枠表示４０８を表示する。
【００２４】
（４−１０）ユーザーの戻るボタン３０４押下により、シングル表示状態４０３に遷移する。
【００２５】
（４−１１）ユーザーの移動ボタン３０１押下により、拡大領域枠表示４０８が移動し、ユーザーが拡大して視聴したい画像領域が選択される。
【００２６】
（４−１２）ユーザーの決定ボタン３０２押下により、拡大領域枠表示４０８のある画像領域を拡大して表示する４０５で示したズーム表示状態に遷移する。本操作が実行されると、図２のＣＰＵ２０３は、拡大表示が行なわれた領域の情報を視聴履歴データとして、一時的にメモリ２０５に記録し、ネットワーク制御部２０２を介して図１のコンテンツサーバー１０３に送信する。ここで送信するデータは、拡大表示を行なっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））と、図５の一例に示す通り、５０１で示す画像データの左上の座標を（０、０）とした５０２、５０３、５０４、５０５で示す拡大領域の４点の座標位置（ｘ０、ｙ０）、（ｘ１、ｙ０）、（ｘ０、ｙ１）、（ｘ１、ｙ１）である。図１のコンテンツサーバー１０３は、情報表示装置（１）から受信した視聴履歴データを画像情報と関連付けて蓄積する。
【００２７】
（４−１３）ユーザーの戻るボタン３０４押下により、ズーム領域選択状態４０４に遷移する。
【００２８】
以下、情報表示装置（２）１０２による画像視聴、特には画像の視聴履歴表示に関する動作を説明する。
【００２９】
図６は、図３に示した操作部２０１に備わるボタンを用いて、コンテンツサーバー１０３に存在する画像を視聴する場合の操作と画面表示状態遷移の関係を示す図である。
【００３０】
（６−１）ユーザーの一覧表示ボタン３０３押下により、画像表示部２０７には、図６の６０１で示す画像掲示板一覧表示が表示される掲示板選択表示状態に遷移する。
【００３１】
（６−２）ユーザーの一覧表示ボタン３０３、又は戻るボタン３０４押下により、画像掲示板一覧表示画面は消え、表示オフ状態６００に戻る。
【００３２】
（６−３）ユーザーの移動ボタン３０１押下により、６０６で示すカーソル表示が移動し、視聴する画像掲示板が選択される。
【００３３】
（６−４）ユーザーの決定ボタン３０２押下により、カーソル表示６０６のある画像掲示板が選択決定され、図２のＣＰＵ２０３は、ネットワーク制御部２０２を介して、図１のコンテンツサーバー１０３から複数の画像データを取得する。ここで取得したデータは一時的にメモリ２０５に格納され、画像情報デコード部２０４によって復号後、表示制御部２０６に送り、画像表示部２０７において、図６の６０２で示したサムネイル表示状態に遷移する。
【００３４】
（６−５）ユーザーの戻るボタン３０４押下により、掲示板選択表示状態６０１に遷移する。
【００３５】
（６−６）ユーザーの移動ボタン３０１押下により、６０７で示すカーソル表示が移動し、視聴する画像が選択される。
【００３６】
（６−７）ユーザーの決定ボタン３０２押下により、カーソル表示６０７のある画像が選択され、図２のＣＰＵ２０３は、表示制御部２０６を介して、画像表示部２０７に選択された画像を画面に一枚表示し、図４の６０３で示したシングル表示状態に遷移する。
【００３７】
（６−８）ユーザーの戻るボタン３０４押下により、サムネイル表示状態６０２に遷移する。
【００３８】
（６−９）ユーザーの情報表示ボタン３０６押下により、図６の６０４で示す視聴履歴表示状態に遷移する。本操作が実行されると、図２のＣＰＵ２０３は、前述の（４−１２）の動作時に図１のコンテンツサーバー１０３に送信された拡大表示の履歴データをコンテンツサーバー１０３から取得する。ＣＰＵ２０３は取得した拡大表示の履歴データに基づき、拡大視聴履歴の無かった部分の画像表示方法を決定し、表示制御部２０６に対し、描画指示を行なう。図７は、ユーザーが拡大を行った事を示す履歴データが７０１、７０２、７０３、７０４の４組存在した場合の例を示している。この例では、７０５、７０６、７０７、７０８、７０９、７１０、７１１、７１２で示す８点の座標位置を結んだ外側部分、つまり同図中７１３の斜線で示す領域が拡大表示されていない領域と判別し、拡大視聴履歴のあった部分に比べ、解像度を低下、つまり劣化させて表示するようにする。この画像表示を見たユーザーは、
・共有する複数の画像のうち、どの画像が視聴されたか、
・視聴された１つの画像情報の、どの部分に注目が集まったか、の視聴履歴が直感的に一目で分かるようになる。（６−１０）ユーザーの戻るボタン３０４押下により、シングル表示状態６０３に遷移する。
【００３９】
以上、述べた通り、ユーザーの画像の部分拡大操作において拡大された部分を特定できる情報を履歴データとして記録しておき、その履歴データに従い、拡大された回数が多い領域に比べ、少ない領域の画像領域の解像度を低下させる、つまり劣化させるよう表示を行なう事により、
・共有する複数の画像のうち、どの画像が視聴されたか、
・視聴された１つの画像情報の、どの部分に注目が集まったか、
の視聴履歴が直感的に一目で分かるようになる。これにより、注目度の高い画像を容易に判別する事ができる為、複数の情報表示ユーザーによる円滑なコミュニケーションを実現する事が可能となる。
【００４０】
（実施例２）
以下、本発明を実施する為の第２形態についての説明を行なう。
【００４１】
前述の第１形態においては、拡大された回数が多い領域に比べ、少ない領域の画像領域の解像度を低下させるように表示を行なったが、画像の彩度や色相、輝度を変化させて表示する事により、
・共有する複数の画像のうち、どの画像が視聴されたか、
・視聴された１つの画像情報の、どの部分に注目が集まったか、の視聴履歴が直感的に一目で分かるようになる。（実施例３）以下、本発明を実施する為の第３形態についての説明を行なう。
【００４２】
前述の第１、第２の形態においては、拡大された回数が多い領域に比べ、少ない領域の画像領域の解像度を低下させたり、画像の彩度や色相、輝度を変化させて表示するように表示を行なったが、図８に示すように、該当する画像領域を部分的に折り曲げて表示する事により、
・共有する複数の画像のうち、どの画像が視聴されたか、
・視聴された１つの画像情報の、どの部分に注目が集まったか、の視聴履歴が直感的に一目で分かるようになる。
【図面の簡単な説明】
【００４３】
【図１】本発明の実施例に係る情報表示装置の接続形態を表わす概念図
【図２】本発明の実施例に係る情報表示装置の構成を表わすブロック図
【図３】本発明の実施例に係る情報表示装置の操作部に備わる操作ボタン群
【図４】本発明の実施例に係る情報表示装置の操作と画面表示状態遷移の関係を示す図１
【図５】本発明の実施例に係る画像データと拡大表示の座標位置の関係を示す図１
【図６】本発明の実施例に係る情報表示装置の操作と画面表示状態遷移の関係を示す図２
【図７】本発明の実施例に係る画像データと拡大表示の座標位置の関係を示す図２
【図８】本発明の実施例に係る視聴履歴表示画面の一形態を示す図
【符号の説明】
【００４４】
１０１  情報表示装置（１）
１０２  情報表示装置（２）
１０３  コンテンツサーバー
１０４  インターネット
２０１  操作部
２０２  ネットワーク制御部
２０３  ＣＰＵ
２０４  画像情報デコード部
２０５  メモリ
２０６  表示制御部
２０７  画像表示部
２０８  システムバス
【図１】
2005202173.tif 000003
【図２】
2005202173.tif 000004
【図３】
2005202173.tif 000005
【図４】
2005202173.tif 000006
【図５】
2005202173.tif 000007
【図６】
2005202173.tif 000008
【図７】
2005202173.tif 000009
【図８】
2005202173.tif 000010